(57)【要約】【課題】  ＣＳＰと呼ばれる半導体構成体を備えた半導体装置において、ファンアウト端子構造とし、且つ、薄型化する。【解決手段】  銅箔からなるベース板３１の上面にエポキシ系樹脂等からなる下層絶縁膜１を形成する。次に、下層絶縁膜１の上面の複数の半導体構成体搭載領域に半導体構成体２を接着層３を介して搭載する。次に、半導体構成体２を含む下層絶縁膜１の上面にエポキシ系樹脂等からなる封止膜２８を形成する。次に、ベース板３１を除去する。したがって、完成した半導体装置はベース板３１を備えておらず、外部接続用電極の配置領域が半導体構成体２の平面サイズよりも大きい（Ｆａｎ−ｏｕｔ）ものにおいて、薄型化することができる。【選択図】      図３
2011066454.tif 000002
【特許請求の範囲】
【請求項１】
ベース板上に下層絶縁膜を形成する工程と、
前記下層絶縁膜上に、半導体基板および該半導体基板下に設けられた複数の外部接続用電極を有する複数の半導体構成体を固着する工程と、
前記下層絶縁膜上に、前記半導体構成体の周囲を覆う封止膜を形成する工程と、
前記ベース板を除去する工程と、
前記下層絶縁膜下に下層配線を前記半導体構成体の外部接続用電極に接続させて形成する工程と、
前記半導体構成体間における前記下層絶縁膜および前記封止膜を切断して半導体装置を複数個得る工程と、
を有することを特徴とする半導体装置の製造方法。
【請求項２】
請求項１に記載の発明において、前記下層絶縁膜上に前記半導体構成体を固着する工程は、前記下層絶縁膜上に接着材を予め供給し、前記半導体構成体を前記下層絶縁膜上に加熱加圧する工程を含むことを特徴とする半導体装置の製造方法。
【請求項３】
請求項１に記載の発明において、前記下層絶縁膜上に前記半導体構成体を固着する工程は、前記下層絶縁膜上に接着シートを予め供給し、前記半導体構成体を前記下層絶縁膜上に加熱加圧する工程を含むことを特徴とする半導体装置の製造方法。
【請求項４】
請求項１に記載の発明において、前記下層配線を形成する前に、前記半導体構成体の外部接続用電極に対応する部分における前記下層絶縁膜および前記接着層に開口部を形成する工程を有することを特徴とする半導体装置の製造方法。
【請求項５】
請求項１に記載の発明において、金属からなる前記ベース板上に保護金属層および第１の下地金属層が形成され、前記下層絶縁膜は前記第１の下地金属層上に形成し、前記ベース板を除去する工程は前記保護金属層を除去する工程を含むことを特徴とする半導体装置の製造方法。
【請求項６】
請求項５に記載の発明において、前記下層絶縁膜を形成する前に、前記第１の下地金属層の上面に表面粗化処理を施し、前記下層絶縁膜を樹脂を含む材料によって形成することを特徴とする半導体装置の製造方法。
【請求項７】
請求項６に記載の発明において、前記ベース板および前記保護金属層を除去した後に、前記半導体構成体の外部接続用電極に対応する部分における前記第１の下地金属層、前記下層絶縁膜および前記接着層に開口部を形成する工程を有することを特徴とする半導体装置の製造方法。
【請求項８】
請求項７に記載の発明において、前記下層配線を形成する工程は、前記第１の下地金属層上に第２の下地金属層を形成し、前記第２の下地金属層上に電解メッキにより上部金属層を形成する工程を含み、前記下層配線は前記第１、第２の下地金属層および前記上部金属層の３層構造であることを特徴とする半導体装置の製造方法。
【請求項９】
請求項８に記載の発明において、前記ベース板、前記第１、第２の下地金属層および前記上部金属層は銅からなり、前記保護金属層はニッケルからなることを特徴とする半導体装置の製造方法。
【請求項１０】
請求項１に記載の発明において、前記ベース板上に前記下層絶縁膜を形成した後に、前記下層絶縁膜上において半導体構成体搭載領域の周囲に上層配線を形成する工程を有し、前記下層絶縁膜下に前記下層配線を前記上層配線に接続させて形成することを特徴とする半導体装置の製造方法。
【請求項１１】
請求項１に記載の発明において、前記封止膜の形成はモールド法により行なうことを特徴とする半導体装置の製造方法。
【発明の詳細な説明】
【技術分野】
【０００１】
この発明は半導体装置の製造方法に関する。
【背景技術】
【０００２】
従来の半導体装置には、シリコン基板下に複数の外部接続用の柱状電極が設けられたものがある。しかしながら、従来のこのような半導体装置は、半導体構成体の平面の面積領域内に外部接続用電極を設ける（Ｆａｎ−ｉｎ）構成であるため、外部接続用電極の配置数が多くなり配置ピッチが所定の寸法、例えば、０．５μｍ程度より小さくなる場合には適用ができないものであった。
【０００３】
そこで、従来の他の半導体装置には、ＣＳＰ(chip size package)と呼ばれる半導体構成体を該半導体構成体よりも平面サイズの大きいベース板上に設け、このベース板のほぼ全領域を半導体構成体の外部接続用電極の配置領域とする（Ｆａｎ−ｏｕｔ）ことにより、外部接続用電極の配置数が多い場合にも、小型の半導体装置としたものがある。
【先行技術文献】
【特許文献】
【０００４】
【特許文献１】特開２０００−２２３５１８号公報
【特許文献２】特開２００５−２１６９３５号公報
【発明の概要】
【発明が解決しようとする課題】
【０００５】
しかしながら、上記従来の半導体装置では、ベース板を用いているため、装置全体が厚くなってしまうという問題があった。
【０００６】
そこで、この発明は、外部接続用電極の配置領域が半導体構成体の平面サイズよりも大きい（Ｆａｎ−ｏｕｔ）ものにおいて、薄型化を図ることができる半導体装置の製造方法を提供することを目的とする。
【課題を解決するための手段】
【０００７】
請求項１に記載の発明に係る半導体装置の製造方法は、ベース板上に下層絶縁膜を形成する工程と、前記下層絶縁膜上に、半導体基板および該半導体基板下に設けられた複数の外部接続用電極を有する複数の半導体構成体を固着する工程と、前記下層絶縁膜上に、前記半導体構成体の周囲を覆う封止膜を形成する工程と、前記ベース板を除去する工程と、前記下層絶縁膜下に下層配線を前記半導体構成体の外部接続用電極に接続させて形成する工程と、前記半導体構成体間における前記下層絶縁膜および前記封止膜を切断して半導体装置を複数個得る工程と、を有することを特徴とするものである。
請求項２に記載の発明に係る半導体装置の製造方法は、請求項１に記載の発明において、前記下層絶縁膜上に前記半導体構成体を固着する工程は、前記下層絶縁膜上に接着材を予め供給し、前記半導体構成体を前記下層絶縁膜上に加熱加圧する工程を含むことを特徴とするものである。
請求項３に記載の発明に係る半導体装置の製造方法は、請求項１に記載の発明において、前記下層絶縁膜上に前記半導体構成体を固着する工程は、前記下層絶縁膜上に接着シートを予め供給し、前記半導体構成体を前記下層絶縁膜上に加熱加圧する工程を含むことを特徴とするものである。
請求項４に記載の発明に係る半導体装置の製造方法は、請求項１に記載の発明において、前記下層配線を形成する前に、前記半導体構成体の外部接続用電極に対応する部分における前記下層絶縁膜および前記接着層に開口部を形成する工程を有することを特徴とするものである。
請求項５に記載の発明に係る半導体装置の製造方法は、請求項１に記載の発明において、金属からなる前記ベース板上に保護金属層および第１の下地金属層が形成され、前記下層絶縁膜は前記第１の下地金属層上に形成し、前記ベース板を除去する工程は前記保護金属層を除去する工程を含むことを特徴とするものである。
請求項６に記載の発明に係る半導体装置の製造方法は、請求項５に記載の発明において、前記下層絶縁膜を形成する前に、前記第１の下地金属層の上面に表面粗化処理を施し、前記下層絶縁膜を樹脂を含む材料によって形成することを特徴とするものである。
請求項７に記載の発明に係る半導体装置の製造方法は、請求項１８に記載の発明において、前記ベース板および前記保護金属層を除去した後に、前記半導体構成体の外部接続用電極に対応する部分における前記第１の下地金属層、前記下層絶縁膜および前記接着層に開口部を形成する工程を有することを特徴とするものである。
請求項８に記載の発明に係る半導体装置の製造方法は、請求項７に記載の発明において、前記下層配線を形成する工程は、前記第１の下地金属層上に第２の下地金属層を形成し、前記第２の下地金属層上に電解メッキにより上部金属層を形成する工程を含み、前記下層配線は前記第１、第２の下地金属層および前記上部金属層の３層構造であることを特徴とするものである。
請求項９に記載の発明に係る半導体装置の製造方法は、請求項８に記載の発明において、前記ベース板、前記第１、第２の下地金属層および前記上部金属層は銅からなり、前記保護金属層はニッケルからなることを特徴とするものである。
請求項１０に記載の発明に係る半導体装置の製造方法は、請求項１に記載の発明において、前記ベース板上に前記下層絶縁膜を形成した後に、前記下層絶縁膜上において半導体構成体搭載領域の周囲に上層配線を形成する工程を有し、前記下層絶縁膜下に前記下層配線を前記上層配線に接続させて形成することを特徴とするものである。
請求項１１に記載の発明に係る半導体装置の製造方法は、請求項１に記載の発明において、前記封止膜の形成はモールド法により行なうことを特徴とするものである。
【発明の効果】
【０００８】
この発明によれば、半導体構成体下およびその周囲に設けられた下層絶縁膜下に下層配線を半導体構成体の外部接続用電極に接続させて設けているので、ファンアウト端子構造とすることができ、しかもベース板を備えていないので、薄型化することができる。
【図面の簡単な説明】
【０００９】
【図１】この発明の第１実施形態としての半導体装置の断面図。
【図２】図１に示す半導体装置の製造方法の一例において、当初の工程の断面図。
【図３】図２に続く工程の断面図。
【図４】図３に続く工程の断面図。
【図５】図４に続く工程の断面図。
【図６】図５に続く工程の断面図。
【図７】図６に続く工程の断面図。
【図８】図７に続く工程の断面図。
【図９】図８に続く工程の断面図。
【図１０】図１に示す半導体装置の製造方法の他の例において、所定の工程を説明するために示す断面図。
【図１１】この発明の第２実施形態としての半導体装置の断面図。
【図１２】図１１に示す半導体装置の製造方法の一例において、当初の工程の断面図。
【図１３】図１２に続く工程の断面図。
【図１４】図１３に続く工程の断面図。
【図１５】図１４に続く工程の断面図。
【図１６】図１５に続く工程の断面図。
【図１７】図１６に続く工程の断面図。
【図１８】この発明の第３実施形態としての半導体装置の断面図。
【図１９】この発明の第４実施形態としての半導体装置の断面図。
【図２０】この発明の第５実施形態としての半導体装置の断面図。
【図２１】この発明の第６実施形態としての半導体装置の断面図。
【図２２】この発明の第７実施形態としての半導体装置の断面図。
【図２３】この発明の第８実施形態としての半導体装置の断面図。
【図２４】この発明の第９実施形態としての半導体装置の断面図。
【発明を実施するための形態】
【００１０】
（第１実施形態）
図１はこの発明の第１実施形態としての半導体装置の断面図を示す。この半導体装置はエポキシ系樹脂、ポリイミド系樹脂、ガラス布基材エポキシ樹脂等からなる平面方形状の下層絶縁膜１を備えている。下層絶縁膜１の上面中央部には半導体構成体２がエポキシ系樹脂等からなる接着層３を介して搭載されている。この場合、下層絶縁膜１の平面サイズは半導体構成体２の平面サイズよりも大きくなっている。
【００１１】
半導体構成体２は平面方形状のシリコン基板（半導体基板）４を備えている。シリコン基板４の下面４ａには所定の機能の集積回路（図示せず）が設けられ、下面周辺部にはアルミニウム系金属等からなる複数の接続パッド５が集積回路に接続されて設けられている。接続パッド５の中央部を除くシリコン基板４の下面には酸化シリコン等からなる絶縁膜６が設けられ、接続パッド５の中央部は絶縁膜６に設けられた開口部７を介して露出されている。
【００１２】
絶縁膜６の下面にはポリイミド系樹脂等からなる保護膜８が設けられている。絶縁膜６の開口部７に対応する部分における保護膜８には開口部９が設けられている。保護膜８の下面には配線１０が設けられている。配線１０は、保護膜８の下面に設けられた銅からなる下地金属層１１と、下地金属層１１の下面に設けられた銅からなる上部金属層１２との２層構造となっている。配線１０の一端部は、絶縁膜６および保護膜８の開口部７、９を介して接続パッド５に接続されている。
【００１３】
配線１０の接続パッド部下面には銅からなる柱状電極（外部接続用電極）１３が設けられている。配線１０を含む保護膜８の下面にはエポキシ系樹脂等からなる封止用樹脂膜１４がその下面が柱状電極１３の下面と面一となるように設けられている。そして、半導体構成体２は、その柱状電極１３および封止用樹脂膜１４の下面がエポキシ系樹脂等からなる接着層３を介して下層絶縁膜１の上面中央部に接着されていることにより、下層絶縁膜１の上面中央部に搭載されている。
【００１４】
半導体構成体２の柱状電極１３の下面中央部に対応する部分における下層絶縁膜１および接着層３には開口部２１が設けられている。下層絶縁膜１の下面には下層配線２２が設けられている。下層配線２２は、下層絶縁膜１の下面に設けられた銅からなる下地金属層２３と、下地金属層２３の下面に設けられた銅からなる上部金属層２４との２層構造となっている。下層配線２２の一端部は、下層絶縁膜１および接着層３の開口部２１を介して半導体構成体２の柱状電極１３に接続されている。
【００１５】
下層配線２２を含む下層絶縁膜１の下面にはソルダーレジスト等からなる下層オーバーコート膜２５が設けられている。下層配線２２の接続パッド部に対応する部分における下層オーバーコート膜２５には開口部２６が設けられている。下層オーバーコート膜２５の開口部２６内およびその下方には半田ボール２７が下層配線２２の接続パッド部に接続されて設けられている。半導体構成体２を含む下層絶縁膜１の上面にはエポキシ系樹脂等からなる封止膜２８が設けられている。
【００１６】
次に、この半導体装置の製造方法の一例について説明する。まず、図２に示すように、銅箔からなるベース板３１の上面にエポキシ系樹脂、ポリイミド系樹脂、ガラス布基材エポキシ樹脂等からなる下層絶縁膜１が形成されたものを用意する。この場合、この用意したもののサイズは、図１に示す完成された半導体装置を複数個形成することが可能なサイズとなっている。そして、図２において、符号３２で示す領域は個片化するための切断ラインに対応する領域である。
【００１７】
また、半導体構成体２を用意する。この半導体構成体２は、ウエハ状態のシリコン基板４下に集積回路（図示せず）、アルミニウム系金属等からなる接続パッド５、酸化シリコン等からなる絶縁膜６、ポリイミド系樹脂等からなる保護膜８、配線１０（銅からなる下地金属層１１および銅からなる上部金属層１２）、銅からなる柱状電極１３およびエポキシ系樹脂等からなる封止用樹脂膜１４を形成した後、ダイシングにより個片化することにより得られる。
【００１８】
次に、下層絶縁膜１の上面の半導体構成体搭載領域に、半導体構成体２の柱状電極１３および封止用樹脂膜１４の下面をエポキシ系樹脂等からなる接着層３を介して接着することにより、半導体構成体２を搭載する。この場合、下層絶縁膜１の上面の半導体構成体搭載領域に、ＮＣＰ(Non-Conductive Paste)といわれる接着材を印刷法やディスペンサ等を用いて、またはＮＣＦ(Non-Conductive Film)といわれる接着シートを予め供給しておき、加熱圧着により半導体構成体２を下層絶縁膜１に固着する。
【００１９】
次に、図３に示すように、トランスファモールド法等のモールド法により、半導体構成体２を含む下層絶縁膜１の上面にエポキシ系樹脂等からなる封止膜２８を形成する。なお、封止膜２８の形成は、スクリーン印刷法やスピンコート法等であってもよい。次に、ベース板３１をエッチングにより除去すると、図４に示すように、下層絶縁膜１の下面が露出される。この状態では、ベース板３１を除去しても、封止膜２８および下層絶縁膜１の存在により、強度を十分に確保することができる。
【００２０】
次に、図５に示すように、半導体構成体２の柱状電極１３の下面中央部に対応する部分における下層絶縁膜１および接着層３に、レーザビームの照射によるレーザ加工により、開口部２１を形成する。次に、図６に示すように、下層絶縁膜１および接着層３の開口部２１を介して露出された半導体構成体２の柱状電極１３の下面を含む下層絶縁膜１の下面全体に、銅の無電解メッキにより、下地金属層２３を形成する。
【００２１】
次に、下地金属層２３をメッキ電流路とした銅の電解メッキを行なうことにより、下地金属層２３の下面全体に上部金属層２４を形成する。次に、フォトリソグラフィ法により、上部金属層２４および下地金属層２３をパターニングすると、図７に示すように、下層絶縁膜１の下面に、下地金属層２３および上部金属層２４からなる２層構造の下層配線２２が形成される。
【００２２】
次に、図８に示すように、下層配線２２を含む下層絶縁膜１の下面に、スクリーン印刷法、スピンコート法等により、ソルダーレジスト等からなる下層オーバーコート膜２５を形成する。次に、下層配線２２の接続パッド部に対応する部分における下層オーバーコート膜２５に、レーザビームの照射によるレーザ加工により、開口部２６を形成する。
【００２３】
次に、下層オーバーコート膜２５の開口部２６内およびその下方に半田ボール２７を下層配線２２の接続パッド部に接続させて形成する。次に、図９に示すように、互いに隣接する半導体構成体２間において、封止膜２８、下層絶縁膜１および下層オーバーコート膜２５を切断ライン３２に沿って切断すると、図１に示す半導体装置が複数個得られる。
【００２４】
このようにして得られた半導体装置では、半導体構成体２下およびその周囲に設けられた下層絶縁膜１下に下層配線２２を半導体構成体２の柱状電極１３に接続させて設けているので、半田ボール（外部接続用電極）２７の配置領域が半導体構成体２の平面サイズよりも大きい（Ｆａｎ−ｏｕｔ）とすることができ、しかもベース板３１を備えていないので、薄型化することができる。なお、ベース板３１はアルミニウム等の他の金属によって形成してもよい。
【００２５】
ところで、図６に示す工程において、下地金属層２３を形成した後に、図１０に示すようにしてもよい。すなわち、下地金属層２３の下面にメッキレジスト膜３３をパターン形成する。この場合、上部金属層２４形成領域に対応する部分におけるメッキレジスト膜３３には開口部３４が形成されている。
【００２６】
次に、下地金属層２３をメッキ電流路とした銅の電解メッキを行なうことにより、メッキレジスト膜３３の開口部３４内の下地金属層２３の下面に上部金属層２４を形成する。次に、メッキレジスト膜３３を剥離し、次いで、上部金属層２４をマスクとして下地金属層２３の不要な部分をエッチングして除去すると、図７に示すように、上部金属層２４上にのみ下地金属層２３が残存される。
【００２７】
（第２実施形態）
図１１はこの発明の第２実施形態としての半導体装置の断面図を示す。この半導体装置において、図１に示す半導体装置と異なる点は、下層配線２２を、銅からなる第１の下地金属層２３ａ、銅からなる第２の下地金属層２３ｂおよび銅からなる上部金属層２４の３層構造とした点である。この場合、半導体構成体２の柱状電極１３の下面中央部に対応する部分における下層絶縁膜１、絶縁層３および第１の下地金属層２３ａには開口部２１が設けられている。
【００２８】
次に、この半導体装置の製造方法の一例について説明する。まず、図１２に示すように、銅箔からなるベース板３１の上面に無電解ニッケルメッキからなる保護金属層３５、無電解銅メッキからなる第１の下地金属層２３ａおよびエポキシ系樹脂、ポリイミド系樹脂、ガラス布基材エポキシ樹脂等からなる下層絶縁膜１が形成されたものを用意する。
【００２９】
この場合も、この用意したもののサイズは、図１１に示す完成された半導体装置を複数個形成することが可能なサイズとなっている。また、図１２において、符号３２で示す領域は個片化するための切断ラインに対応する領域である。ここで、第１の下地金属層２３ａの上面は、その上面に形成される樹脂を含む材料からなる下層絶縁膜１との密着性を良くするため、表面粗化処理を施すことにより粗化面となっている。この点が上記第１実施形態の場合と大きく異なる点である。ここで、表面疎化処理の一例として、第１の下地金属層２３ａの上面を、適宜なエッチング液に浸漬する方法が挙げられるが、この方法に限定されるものではない。
【００３０】
次に、下層絶縁膜１の上面の半導体構成体搭載領域に、半導体構成体２の柱状電極１３および封止用樹脂膜１４の下面をエポキシ系樹脂等からなる接着層３を介して接着することにより、半導体構成体２を搭載する。この場合も、ＮＣＰ(Non-Conductive Paste)といわれる接着材、またはＮＣＦ(Non-Conductive Film)といわれる接着シートを、下層絶縁膜１の上面の半導体構成体搭載領域に予め供給しておき、加熱圧着により半導体構成体２を下層絶縁膜１に固着する。
【００３１】
次に、図１３に示すように、スクリーン印刷法、スピンコート法、トランスファモールド法等により、半導体構成体２を含む下層絶縁膜１の上面にエポキシ系樹脂等からなる封止膜２８を形成する。次に、ベース板３１および保護金属層３５をエッチングにより連続して除去すると、図１４に示すように、第１の下地金属層２３ａの下面が露出される。
【００３２】
この場合、ニッケルからなる保護金属層３５は、銅からなるベース板３１をエッチングにより除去するとき、同じく銅からなる第１の下地金属層２３ａがエッチングされないように保護するためのものである。そして、この状態では、ベース板３１および保護金属層３５を除去しても、封止膜２８、下層絶縁膜１および第１の下地金属層２３ａの存在により、強度を十分に確保することができる。
【００３３】
次に、図１５に示すように、半導体構成体２の柱状電極１３の下面中央部に対応する部分における第１の下地金属層２３ａ、下層絶縁膜１および接着層３に、レーザビームの照射によるレーザ加工により、開口部２１を形成する。次に、図１６に示すように、第１の下地金属層２３ａ、下層絶縁膜１および接着層３の開口部２１を介して露出された半導体構成体２の柱状電極１３の下面を含む第１の下地金属層２３ａの下面全体に、銅の無電解メッキにより、第２の下地金属層２３ｂを形成する。
【００３４】
次に、第１、第２の下地金属層２３ａ、２３ｂをメッキ電流路とした銅の電解メッキを行なうことにより、第２の下地金属層２３ｂの下面全体に上部金属層２４を形成する。次に、フォトリソグラフィ法により、上部金属層２４および第１、第２の下地金属層２３、２３ｂをパターニングすると、図１７に示すように、下層絶縁膜１の下面に、第１、第２の下地金属層２３ａ、２３ｂおよび上部金属層２４からなる３層構造の下層配線２２が形成される。以下、上記第１実施形態の場合と同様の工程を経ると、図１１に示す半導体装置が複数個得られる。
【００３５】
（第３実施形態）
図１８はこの発明の第３実施形態としての半導体装置の断面図を示す。この半導体装置において、図１に示す半導体装置と大きく異なる点は、半導体構成体２の周囲における下層絶縁膜１の上面に無電解銅メッキからなる下地金属層４２および電解銅メッキからなる上部金属層４３からなる２層構造の上層配線４１を予め形成した点である。すなわち、上層配線４１は、例えば、図２に示すように、ベース板１の上面に形成された下層絶縁膜１の上面に、半導体構成体２が搭載される前に、形成される。
【００３６】
そして、例えば、図５に示すような工程において、下層絶縁膜１および接着層３への開口部２１の形成と同時に、上層配線４１の接続パッド部に対応する部分における下層絶縁膜１に開口部４４を形成する。この開口部４４を介して、下層配線２２の一部は上層配線４４の接続パッド部に接続されている。
【００３７】
（第４実施形態）
図１９はこの発明の第４実施形態としての半導体装置の断面図を示す。この半導体装置において、図１に示す半導体装置と大きく異なる点は、下層配線を２層配線構造とした点である。すなわち、第１の下層絶縁膜１Ａの下面に設けられた第１の下層配線２２Ａの一端部は、第１の下層絶縁膜１Ａおよび接着層３に設けられた開口部２１Ａを介して半導体構成体２の柱状電極１３に接続されている。第１の下層配線２２Ａを含む第１の下層絶縁膜１Ａの下面には、第１の下層絶縁膜１Ａと同一の材料からなる第２の下層絶縁膜１Ｂが設けられている。
【００３８】
第２の下層絶縁膜１Ｂの下面に設けられた第２の下層配線２２Ｂの一端部は、第２の下層絶縁膜１Ｂに設けられた開口部２１Ｂを介して第１の下層配線２２Ａの接続パッド部に接続されている。第２の下層配線２２Ｂを含む第２の下層絶縁膜１Ｂの下面には下層オーバーコート膜２５が設けられている。下層オーバーコート膜２５の開口部２６内およびその下方には半田ボール２７が第２の下層配線２２Ｂの接続パッド部に接続されて設けられている。なお、下層配線は３層以上の配線構造としてもよい。
【００３９】
（第５実施形態）
図２０はこの発明の第５実施形態としての半導体装置の断面図を示す。この半導体装置において、図１に示す半導体装置と大きく異なる点は、半導体構成体２の周囲における下層絶縁膜１の上面に抵抗やコンデンサ等からなるチップ部品５１を接着層５２を介して接着した点である。この場合、２本の下層配線２２の各一端部は、下層絶縁膜１および接着層５２に形成された開口部５３を介してチップ部品５１の両電極５４に接続されている。
【００４０】
（第６実施形態）
図２１はこの発明の第６実施形態としての半導体装置の断面図を示す。この半導体装置において、図１８に示す半導体装置と大きく異なる点は、半導体構成体２の周囲における下層絶縁膜１の上面に設けられた上層配線４１の上面にチップ部品５１を搭載した点である。この場合、チップ部品５１の両電極５４は上層配線４１に半田５５を介して接続されている。
【００４１】
（第７実施形態）
図２２はこの発明の第７実施形態としての半導体装置の断面図を示す。この半導体装置において、図１に示す半導体装置と異なる点は、半導体構成体２が封止用樹脂膜１４を備えていない点である。したがって、この場合、半導体構成体２の配線１０および柱状電極１３を含む保護膜８の下面は接着層３を介して下層絶縁膜１の上面中央部に接着されている。そして、下層配線２２の一端部は、下層絶縁膜２２および接着層３の開口部２１を介して半導体構成体２の柱状電極１３に接続されている。
【００４２】
（第８実施形態）
図２３はこの発明の第８実施形態としての半導体装置の断面図を示す。この半導体装置において、図２２に示す半導体装置と異なる点は、半導体構成体２がさらに柱状電極１３を備えていない点である。したがって、この場合、半導体構成体２の配線１０を含む保護膜８の下面は接着層３を介して下層絶縁膜１の上面中央部に接着されている。そして、下層配線２２の一端部は、下層絶縁膜２２および接着層３の開口部２１を介して半導体構成体２の配線１０の接続パッド部（外部接続用電極）に接続されている。
【００４３】
（第９実施形態）
図２４はこの発明の第９実施形態としての半導体装置の断面図を示す。この半導体装置において、図２３に示す半導体装置と異なる点は、半導体構成体２の配線１０を含む保護膜８の下面にポリイミド系樹脂、エポキシ樹脂等の絶縁材からなる静電気防止用の保護膜６１を設けた点である。したがって、この場合、半導体構成体２の保護膜６１の下面は接着層３を介して下層絶縁膜１の上面中央部に接着されている。そして、下層配線２２の一端部は、下層絶縁膜２２、接着層３および保護膜６１の開口部２１を介して半導体構成体２の配線１０の接続パッド部に接続されている。
【００４４】
ところで、半導体構成体２を下層絶縁膜１上に搭載する前においては、保護膜６１には開口部２１は形成されていない。そして、開口部２１を有しない保護膜６１は、それ自体がウエハ状態のシリコン基板４下に形成された時点から半導体構成体２が下層絶縁膜１上に搭載される時点までにおいて、シリコン基板４下に形成された集積回路を静電気から保護するものである。
【符号の説明】
【００４５】
１  下層絶縁膜
２  半導体構成体
３  接着層
４  シリコン基板
５  接続パッド
６  絶縁膜
８  保護膜
１０  下層配線
１３  柱状電極
１４  封止用樹脂膜
２２  下層配線
２５  下層オーバーコート膜
２７  半田ボール
２８  封止膜
３１  ベース板
３２  切断ライン
３５  保護金属層
【図１】
2011066454.tif 000003
【図２】
2011066454.tif 000004
【図３】
2011066454.tif 000005
【図４】
2011066454.tif 000006
【図５】
2011066454.tif 000007
【図６】
2011066454.tif 000008
【図７】
2011066454.tif 000009
【図８】
2011066454.tif 000010
【図９】
2011066454.tif 000011
【図１０】
2011066454.tif 000012
【図１１】
2011066454.tif 000013
【図１２】
2011066454.tif 000014
【図１３】
2011066454.tif 000015
【図１４】
2011066454.tif 000016
【図１５】
2011066454.tif 000017
【図１６】
2011066454.tif 000018
【図１７】
2011066454.tif 000019
【図１８】
2011066454.tif 000020
【図１９】
2011066454.tif 000021
【図２０】
2011066454.tif 000022
【図２１】
2011066454.tif 000023
【図２２】
2011066454.tif 000024
【図２３】
2011066454.tif 000025
【図２４】
2011066454.tif 000026